(57)【要約】【課題】同一の室内空間を対象とする調湿装置（10）及び空調装置（20）を備える空調システム（1）において、室内空間の冷房加湿を効率的に行うことができるようにする。【解決手段】制御手段（41,42）は、入力部（30）に入力された目標温度Ｔｓ及び目標湿度Ｒｓに基づいて計算した露点温度を計算し、基準温度に設定する。制御手段（41,42）は、冷媒回路（60）における冷媒蒸発温度が基準温度以上となるように空調装置（20）の運転を制御する蒸発温度制御を行う。【選択図】図１
2006329471.tif 000002
【特許請求の範囲】
【請求項１】
加湿した空気を室内へ供給する加湿運転を室内空気についての目標湿度Ｒｓに基づいて行う調湿装置（10）と、冷凍サイクルを行う冷媒回路（60）の蒸発器で冷却した空気を室内へ供給する冷房運転を室内空気についての目標温度Ｔｓに基づいて行う空調装置（20）とを備え、
上記調湿装置（10）と上記空調装置（20）とが同一の室内空間へ空気を供給する空調システムであって、
上記調湿装置（10）で加湿運転を行って上記空調装置（20）で冷房運転を行う際に、上記目標温度Ｔｓ及び目標湿度Ｒｓに基づいて計算した露点温度を基準温度に設定し、上記冷媒回路（60）における冷媒蒸発温度が上記基準温度以上となるように上記空調装置（20）の運転を制御する蒸発温度制御を行う制御手段（41,42）を備えていることを特徴とする空調システム。
【請求項２】
加湿した空気を室内へ供給する加湿運転を室内空気についての目標湿度Ｒｓに基づいて行う調湿装置（10）と、冷凍サイクルを行う冷媒回路（60）の蒸発器で冷却した空気を室内へ供給する冷房運転を室内空気についての目標温度Ｔｓに基づいて行う空調装置（20）とを備え、
上記調湿装置（10）と上記空調装置（20）とが同一の室内空間へ空気を供給する空調システムであって、
上記調湿装置（10）の給気湿度を検出する給気湿度検出手段（33）と、
上記調湿装置（10）で加湿運転を行って上記空調装置（20）で冷房運転を行う際に、上記目標温度Ｔｓ及び上記給気湿度検出手段（33）で検出された給気湿度に基づいて計算した露点温度を基準温度に設定し、上記冷媒回路（60）における冷媒蒸発温度が上記基準温度以上となるように上記空調装置（20）の運転を制御する制御手段（41,42）とを備えていることを特徴とする空調システム。
【請求項３】
請求項１又は２において、
室内の空気の温度を計測する室内温度計測手段（68）と、上記冷媒回路（60）における冷媒蒸発温度を計測する蒸発温度計測手段（69）とを備え、
上記制御手段（41,42）は、上記蒸発温度制御の実行中に、上記室内温度計測手段（68）の計測値が上記目標温度Ｔｓを上回る状態で次第に上昇してゆく第１条件と、上記蒸発温度計測手段（69）の計測値と上記基準温度との差が判定値を下回る第２条件とが成立すると、上記調湿装置（10）の制御に用いられる上記目標湿度Ｒｓの値を強制的に引き下げることを特徴とする空調システム。
【請求項４】
請求項１又は２において、
室内の空気の温度を計測する室内温度計測手段（68）と、上記冷媒回路（60）における冷媒蒸発温度を計測する蒸発温度計測手段（69）とを備え、
上記制御手段（41,42）は、上記蒸発温度制御の実行中に、上記室内温度計測手段（68）の計測値が上記目標温度Ｔｓを上回る状態で次第に上昇してゆく第１条件と、上記蒸発温度計測手段（69）の計測値と上記基準温度との差が判定値を下回る第２条件とが成立すると、上記冷媒回路（60）の蒸発器の通過風量を増加させることを特徴とする空調システム。
【請求項５】
請求項１乃至４の何れか１つにおいて、
上記調湿装置（10）は、表面に吸着剤を担持する吸着熱交換器（51,52）が接続された冷媒回路（50）を備え、加湿運転中には上記冷媒回路（50）で冷凍サイクルを行って該冷媒回路（50）で凝縮器となった吸着熱交換器（51,52）から脱離した水分により空気を加湿していることを特徴とする空調システム。
【発明の詳細な説明】
【技術分野】
【０００１】
本発明は、同一の室内空間を対象とする調湿装置及び空調装置を備える空調システムに関するものである。
【背景技術】
【０００２】
従来より、室内空間の温度を調節するための空調装置と、室内空間の湿度を調節するための調湿装置とが知られている。空調装置としての例が特許文献１に開示され、調湿装置としての例が、特許文献２に開示されている。
【０００３】
具体的に、特許文献１には、室内機と室外機とを備える空調装置が示されている。室内機には、室内熱交換器が設けられている。室内熱交換器では、室内ファンによって送り込まれた室内空気と冷媒との熱交換が行われる。この空調装置は、四方切換弁の切り換えによって冷房運転と暖房運転とが実行可能になっている。冷房運転の際は、室内熱交換器が蒸発器となり、室内空気が室内熱交換器で冷却される。
【０００４】
また、特許文献２には、空気中の水分の吸着と空気中への水分の脱離とを行う吸着剤が表面に担持された吸着熱交換器が２つ設けられた冷媒回路を備える調湿装置が示されている。この調湿装置は、凝縮器となる熱交換器が加湿側となり、蒸発器となる熱交換器が除湿側となって、四方切換弁の切り換えによって加湿側と除湿側とが交互に切り替わるように構成されている。さらに、この空調装置は、空気通路の切り換えを行うことで、例えば室内を加湿する際は、加湿側の熱交換器で加湿された空気が常に室内へ供給されるように構成されている。
【特許文献１】特開２００３−１０６６０９号公報
【特許文献２】特開２００４−２９４０４８号公報
【発明の開示】
【発明が解決しようとする課題】
【０００５】
ところで、例えば高温で低湿の外気条件では、同一の室内空間に対して空調装置で冷房運転を行い調湿装置で加湿運転を行う冷房加湿を行う場合がある。しかし、調湿装置で加湿運転を行い空調装置で冷房運転を行うと、調湿装置で室内空気を加湿しても空調装置で除湿されるので、室内空間の湿度を所定の湿度に調節するのにエネルギーロスが大きいという問題がある。
【０００６】
具体的に、空調装置は、一般的に室内空気の温度と目標温度とに基づいて制御され、ほとんどの場合に冷媒回路における冷媒蒸発温度が室内空気の露点温度よりも低い状態で運転される。このため、調湿装置によって室内へ供給された水分は、その一部が空調装置に取り込まれて凝縮し、ドレン水となって排水されてしまう。つまり、調湿装置が供給した水分の一部がドレン水として捨てられてしまうことになり、調湿装置の運転により消費されたエネルギーが無駄になってしまっている。
【０００７】
本発明は、斯かる点に鑑みてなされたものであり、その目的とするところは、同一の室内空間を対象とする調湿装置及び空調装置を備える空調システムにおいて、室内空間の冷房加湿を効率的に行うことができるようにすることにある。
【課題を解決するための手段】
【０００８】
第１の発明は、加湿した空気を室内へ供給する加湿運転を室内空気についての目標湿度Ｒｓに基づいて行う調湿装置（10）と、冷凍サイクルを行う冷媒回路（60）の蒸発器で冷却した空気を室内へ供給する冷房運転を室内空気についての目標温度Ｔｓに基づいて行う空調装置（20）とを備え、上記調湿装置（10）と上記空調装置（20）とが同一の室内空間へ空気を供給する空調システム（1）を対象とする。そして、上記調湿装置（10）で加湿運転を行って上記空調装置（20）で冷房運転を行う際に、上記目標温度Ｔｓ及び目標湿度Ｒｓに基づいて計算した露点温度を基準温度に設定し、上記冷媒回路（60）における冷媒蒸発温度が上記基準温度以上となるように上記空調装置（20）の運転を制御する蒸発温度制御を行う制御手段（41,42）を備えている。
【０００９】
第１の発明では、調湿装置（10）の加湿運転が、室内空気についての目標湿度Ｒｓに基づいて行われる。空調装置（20）の冷房運転が、室内空気についての目標温度Ｔｓに基づいて行われる共に、冷媒回路（60）における冷媒蒸発温度が制御手段（41,42）によって目標湿度Ｒｓ及び目標温度Ｔｓから計算された露点温度以上になるように制御される。つまり、この第１の発明では、調湿装置（10）の制御に用いられる目標湿度Ｒｓが、制御手段（41,42）によって空調装置（20）における冷媒回路（60）の冷媒蒸発温度の制御に用いられている。制御手段（41,42）によって冷媒回路（60）における冷媒蒸発温度は上記基準温度以上になるように制御されるので、空調装置（20）で空気を冷却する際にその空気中の水分が凝縮することはない。
【００１０】
第２の発明は、加湿した空気を室内へ供給する加湿運転を室内空気についての目標湿度Ｒｓに基づいて行う調湿装置（10）と、冷凍サイクルを行う冷媒回路（60）の蒸発器で冷却した空気を室内へ供給する冷房運転を室内空気についての目標温度Ｔｓに基づいて行う空調装置（20）とを備え、上記調湿装置（10）と上記空調装置（20）とが同一の室内空間へ空気を供給する空調システム（1）を対象とする。そして、上記調湿装置（10）の給気湿度を検出する給気湿度検出手段（33）と、上記調湿装置（10）で加湿運転を行って上記空調装置（20）で冷房運転を行う際に、上記目標温度Ｔｓ及び上記給気湿度検出手段（33）で検出された給気湿度に基づいて計算した露点温度を基準温度に設定し、上記冷媒回路（60）における冷媒蒸発温度が上記基準温度以上となるように上記空調装置（20）の運転を制御する制御手段（41,42）とを備えている。
【００１１】
第２の発明では、上記制御手段（41,42）が、上記目標温度Ｔｓと給気湿度検出手段（33）で検出された調湿装置（10）の給気湿度とに基づいて計算した露点温度を用いて、冷媒回路（60）における冷媒蒸発温度がその計算した露点温度以上になるように空調装置（20）の運転を制御している。つまり、この第２の発明では、調湿装置（10）の給気湿度が、制御手段（41,42）によって空調装置（20）の冷媒回路（60）における冷媒蒸発温度の制御に用いられている。従って、調湿装置（10）から吹き出された直後の湿度の高い空気が空調装置（20）に吸い込まれる場合であっても、冷媒回路（60）における冷媒蒸発温度が調湿装置（10）の給気湿度から計算した露点温度以上になっているので、空調装置（20）で空気を冷却する際にその空気中の水分が凝縮することはない。
【００１２】
第３の発明は、第１又は第２の発明において、室内の空気の温度を計測する室内温度計測手段（68）と、上記冷媒回路（60）における冷媒蒸発温度を計測する蒸発温度計測手段（69）とを備え、上記制御手段（41,42）は、上記蒸発温度制御の実行中に、上記室内温度計測手段（68）の計測値が上記目標温度Ｔｓを上回る状態で次第に上昇してゆく第１条件と、上記蒸発温度計測手段（69）の計測値と上記基準温度との差が判定値を下回る第２条件とが成立すると、上記調湿装置（10）の制御に用いられる上記目標湿度Ｒｓの値を強制的に引き下げる。
【００１３】
第３の発明では、上記制御手段（41,42）が、上記蒸発温度制御の実行中に上記第１条件と上記第２条件とが成立すると調湿装置（10）の制御に用いられる目標湿度Ｒｓの値を強制的に引き下げる。具体的に、第１条件は、冷房運転中にも拘らず室内温度計測手段（68）の計測値が目標温度Ｔｓを上回った状態で次第に上昇してゆく場合に成立する。第２条件は、蒸発温度計測手段（69）の計測値が露点温度にある程度近づくと成立する。つまり、この第３の発明では、空調装置（20）によって室内空間の冷房が十分に行われていない場合で、冷媒蒸発温度を引き下げるとその冷媒蒸発温度が露点温度を下回る可能性がある場合に、制御手段（41,42）が目標湿度Ｒｓの値を強制的に引き下げるようにしている。これにより、目標温度Ｔｓと引き下げた後の目標湿度Ｒｓとから計算される露点温度の値は小さくなる。
【００１４】
第４の発明は、第１又は第２の発明において、室内の空気の温度を計測する室内温度計測手段（68）と、上記冷媒回路（60）における冷媒蒸発温度を計測する蒸発温度計測手段（69）とを備え、上記制御手段（41,42）は、上記蒸発温度制御の実行中に、上記室内温度計測手段（68）の計測値が上記目標温度Ｔｓを上回る状態で次第に上昇してゆく第１条件と、上記蒸発温度計測手段（69）の計測値と上記基準温度との差が判定値を下回る第２条件とが成立すると、上記冷媒回路（60）の蒸発器の通過風量を増加させる。
【００１５】
第４の発明では、上記制御手段（41,42）が、上記蒸発温度制御の実行中に上記第１条件と上記第２条件とが成立すると冷媒回路（60）の蒸発器の通過風量を増加させる。冷媒回路（60）の蒸発器の通過風量が増加すると、蒸発器で冷却されて室内へ供給される空気の量が増加する。つまり、この第４の発明では、空調装置（20）によって室内空間の冷房が十分に行われていない場合で、冷媒蒸発温度を引き下げるとその冷媒蒸発温度が露点温度を下回る可能性がある場合に、制御手段（41,42）が冷媒回路（60）の蒸発器の通過風量を増加させることで、空調装置（20）の冷房能力を引き上げるようにしている。
【００１６】
第５の発明は、第１乃至第４のいずれか１つの発明において、上記調湿装置（10）は、表面に吸着剤を担持する吸着熱交換器（51,52）が接続された冷媒回路（50）を備え、加湿運転中には上記冷媒回路（50）で冷凍サイクルを行って該冷媒回路（50）で凝縮器となった吸着熱交換器（51,52）から脱離した水分により空気を加湿している。
【００１７】
第５の発明では、調湿装置（10）で加湿運転が行われると、凝縮器となった吸着熱交換器（51,52）の吸着剤に吸着する水分が冷凍サイクルにより暖められて脱離する。吸着熱交換器（51,52）から脱離した水分は、室内空間へ吹き出される空気に付与され、室内空間は加湿される。
【発明の効果】
【００１８】
上記第１の発明では、目標湿度Ｒｓの値を調湿装置（10）の制御だけでなく空調装置（20）の制御にも利用し、目標湿度Ｒｓ及び目標温度Ｔｓに基づいて計算した露点温度を下限として空調装置（20）の冷媒蒸発温度を制御している。このため、調湿装置（10）から供給された水分によって加湿された室内空気を空調装置（20）で冷却する際にも、この室内空気中の水分が凝縮してドレン水として排出されるのを回避できる。従って、この発明によれば、従来のように調湿装置（10）が供給した水分を空調装置（20）がドレン水として排出してしまう無駄な運転状態に陥るのを回避でき、冷房加湿を行う際に空調システム（1）を効率的に運転することができる。
【００１９】
また、上記第２の発明では、調湿装置（10）から吹き出された直後の湿度の高い空気が空調装置（20）に吸い込まれる場合であっても、その空気中の水分が空調装置（20）で冷却される際に凝縮されることがないように、給気湿度検出手段（33）で検出された調湿装置（10）の給気湿度及び目標温度Ｔｓに基づいて計算した露点温度を下限として空調装置（20）の冷媒蒸発温度を制御している。これにより、調湿装置（10）と空調装置（20）との間で空気がショートサーキットしてしまう場合であっても、調湿装置（10）によって加湿された空気中の水分が凝縮してドレン水として排出されるのを回避できるので、冷房加湿を行う際に空調システム（1）を効率的に運転することができる。
【００２０】
また、上記第３の発明では、空調装置（20）によって室内空間の冷房が十分に行われていない場合で、冷媒蒸発温度を低下させるとその冷媒蒸発温度が露点温度を下回る可能性がある場合に、露点温度の値が小さくなるように、制御手段（41,42）が目標湿度Ｒｓの値を強制的に引き下げるようにしている。これにより、上記蒸発温度制御において冷媒蒸発温度を引き下げることができるので、調湿装置（10）によって加湿された空気中の水分が凝縮してドレン水として排出されるのを回避しながら、空調装置（20）の冷房能力を引き上げることができる。この第３の発明では、目標湿度Ｒｓよりも目標温度Ｔｓを優先させたい場合に、空調システム（1）の運転効率を低下させることなく、室内空間の快適性を向上させることができる。
【００２１】
また、上記第４の発明では、空調装置（20）によって室内空間の冷房が十分に行われていない場合で、冷媒蒸発温度を低下させるとその冷媒蒸発温度が露点温度を下回る可能性がある場合に、制御手段（41,42）が冷媒回路（60）の蒸発器の通過風量を増加させることで、空調装置（20）の冷房能力を引き上げるようにしている。制御手段（41,42）は、上記蒸発温度制御を行っており冷媒蒸発温度を露点温度以上に制御している。これにより、調湿装置（10）によって加湿された空気中の水分が凝縮してドレン水として排出されるのを回避でき、加湿量を減らすことなく室内空間の温度を目標温度Ｔｓに近づけることができるので、空調システム（1）の運転効率を低下させることなく、室内空間の快適性を向上させることができる。
【発明を実施するための最良の形態】
【００２２】
本発明の実施形態について説明する。図１に示すように、本実施形態の空調システム（1）は、同一の室内空間を対象として配置された調湿装置（10）及び空調装置（20）と、コントローラ（30）とを備えている。調湿装置（10）には調湿制御部（41）が設けられ、空調装置（20）には空調制御部（42）が設けられている。また、コントローラ（30）には、温度設定部（31）と湿度設定部（32）とが設けられている。なお、調湿制御部（41）及び空調制御部（42）は、本発明に係る制御手段を構成している。調湿制御部（41）、空調制御部（42）及びコントローラ（30）についての詳細は後述する。
【００２３】
<調湿装置の概略構成>
本実施形態の調湿装置（10）は、取り込んだ室外空気（OA）を除湿して室内へ供給する除湿運転と、取り込んだ室外空気（OA）を加湿して室内へ供給する加湿運転とが可能に構成されている。
【００２４】
図２に示すように、上記調湿装置（10）は、冷媒回路（50）を備えている。この冷媒回路（50）は、第１吸着熱交換器（51）、第２吸着熱交換器（52）、圧縮機（53）、四方切換弁（54）、及び電動膨張弁（55）が設けられた閉回路である。この冷媒回路（50）は、充填された冷媒を循環させることによって、蒸気圧縮冷凍サイクルを行う。
【００２５】
上記冷媒回路（50）において、圧縮機（53）は、その吐出側が四方切換弁（54）の第１のポートに、その吸入側が四方切換弁（54）の第２のポートにそれぞれ接続されている。第１吸着熱交換器（51）の一端は、四方切換弁（54）の第３のポートに接続されている。第１吸着熱交換器（51）の他端は、電動膨張弁（55）を介して第２吸着熱交換器（52）の一端に接続されている。第２吸着熱交換器（52）の他端は、四方切換弁（54）の第４のポートに接続されている。
【００２６】
上記四方切換弁（54）は、第１のポートと第３のポートが連通して第２のポートと第４のポートが連通する第１状態（図２(Ａ)に示す状態）と、第１のポートと第４のポートが連通して第２のポートと第３のポートが連通する第２状態（図２(Ｂ)に示す状態）とに切り換え可能となっている。
【００２７】
図３に示すように、第１吸着熱交換器（51）及び第２吸着熱交換器（52）は、何れもクロスフィン型のフィン・アンド・チューブ熱交換器によって構成されている。これら吸着熱交換器（51,52）は、銅製の伝熱管（58）とアルミニウム製のフィン（57）とを備えている。吸着熱交換器（51,52）に設けられた複数のフィン（57）は、それぞれが長方形板状に形成され、一定の間隔で並べられている。また、伝熱管（58）は、各フィン（57）を貫通するように設けられている。
【００２８】
上記各吸着熱交換器（51,52）では、各フィン（57）の表面に吸着剤が担持されており、フィン（57）の間を通過する空気がフィン（57）の表面の吸着剤と接触する。この吸着剤としては、ゼオライト、シリカゲル、活性炭、親水性の官能基を有する有機高分子材料など、空気中の水蒸気を吸着できるものが用いられる。
【００２９】
また、この調湿装置（10）には、図示しないが空気の温度や湿度を検出する複数のセンサが設けられている。これら複数のセンサは、室外から調湿装置（10）に導入される室外空気（OA）の温度を検出する室外温度センサと、該室外空気（OA）の相対湿度を検出する室外湿度センサと、調湿装置（10）によって調湿された空気が供給される室内の室内空気（RA）の温度を検出する室内温度センサと、その室内空気（RA）の相対湿度を検出する室内湿度センサとで構成されている。これらの温度センサの計測値は、調湿制御部（41）へ送信される。
【００３０】
<空調装置の概略構成>
本実施形態の空調装置（20）は、冷却した空気を室内へ供給する冷房運転と、加熱した空気を室内へ供給する暖房運転とが可能に構成されている。
【００３１】
図４に示すように、上記空調装置（20）は、室内ユニット（21）及び室外ユニット（22）を備えている。上記室内ユニット（21）は室内に配置されている。この室内ユニット（21）には、室内熱交換器（62）と室内ファン（25）が収納されている。一方、上記室外ユニット（22）は室外に配置されている。この室外ユニット（22）には、室外熱交換器（61）、圧縮機（63）、四方切換弁（64）、電動膨張弁（65）及び室外ファン（26）が収納されている。上記室内ユニット（21）と上記室外ユニット（22）とは、２本の連絡配管（23,24）で互いに接続されている。そして、空調装置（20）には、閉回路である冷媒回路（60）が構成されている。この冷媒回路（60）は、充填された冷媒を循環させることによって、蒸気圧縮冷凍サイクルを行う。
【００３２】
上記冷媒回路（60）において、圧縮機（63）は、その吐出側が四方切換弁（64）の第１のポートに、その吸入側が四方切換弁（64）の第２のポートにそれぞれ接続されている。室外熱交換器（61）の一端は、四方切換弁（64）の第３のポートに接続されている。室外熱交換器（61）の他端は、電動膨張弁（65）を介して室内熱交換器（62）の一端に接続されている。室内熱交換器（62）の他端は、四方切換弁（64）の第４のポートに接続されている。
【００３３】
上記四方切換弁（64）は、第１のポートと第３のポートが連通して第２のポートと第４のポートが連通する第１状態（図４(Ａ)に示す状態）と、第１のポートと第４のポートが連通して第２のポートと第３のポートが連通する第２状態（図４(Ｂ)に示す状態）とに切り換え可能となっている。
【００３４】
また、空調装置（20）の室内ユニット（21）には、冷媒回路（60）における冷媒蒸発温度を計測する熱交温度センサ（69）と、室内空気の温度を計測する室内温度センサ（68）とが設けられている。熱交温度センサ（69）は、本発明に係る蒸発温度計測手段を構成し、室内熱交換器（62）の膨張弁（65）側の端部に設けられている。室内温度センサ（68）は、本発明に係る室内温度計測手段を構成し、室内空気を吸い込む吸込口に設けられている。熱交温度センサ（69）の計測値と室内温度センサ（68）の計測値とは、後述する空調制御部（42）に送信される。
【００３５】
<調湿制御部、空調制御部、及びコントローラの構成>
上述したように、本実施形態の空調システム（1）には、コントローラ（30）、調湿制御部（41）、及び空調制御部（42）が設けられている。
【００３６】
上記コントローラ（30）は、空調装置（20）の制御目標となる目標温度Ｔｓと、調湿装置（10）の制御目標となる目標湿度Ｒｓとをそれぞれ入力する入力部を構成している。コントローラ（30）は、温度設定部（31）に希望の室内温度として目標温度Ｔｓが入力され、湿度設定部（32）に希望の室内湿度として目標湿度Ｒｓが入力される。そのうち、湿度設定部（32）に入力される目標湿度Ｒｓは、「低」「中」「高」の３段階の中から選択的に入力される。入力された目標湿度Ｒｓは、相対湿度として湿度設定部（32）に設定される。なお、湿度設定部（32）には、「低」「中」「高」のそれぞれに対応する相対湿度の値又は範囲が予め設定されている。
【００３７】
上記空調制御部（42）は、コントローラ（30）に入力された目標温度Ｔｓ及び目標湿度Ｒｓを受信する。この空調制御部（42）は、室内の温度が目標温度Ｔｓに近づくように空調装置（20）の温調能力を調節する一方で、後述する「冷房加湿運転」の時は冷媒回路（60）における冷媒蒸発温度が目標温度Ｔｓ及び目標湿度Ｒｓから計算される露点温度以上となるように空調装置（20）の運転を制御する蒸発温度制御を行う。
【００３８】
具体的に、空調制御部（42）は、演算部（34）を備えている。空調制御部（42）は、「冷房加湿運転」の時、演算部（34）で空調制御部（42）で受信した目標温度Ｔｓ及び目標湿度Ｒｓから露点温度を計算する。つまり、温度がＴｓで相対湿度がＲｓの湿り空気の露点温度を計算する。そして、空調制御部（42）は、その計算した露点温度を基準温度に設定し、冷媒回路（60）における冷媒蒸発温度が基準温度以上となるように圧縮機（63）の運転周波数を制御する。
【００３９】
上記調湿制御部（41）は、コントローラ（30）に入力された目標温度Ｔｓ及び目標湿度Ｒｓを受信する。この調湿制御部（42）は、室内の相対湿度が目標湿度Ｒｓに近づくように調湿装置（10）の調湿能力を調節する。具体的に、この調湿制御部（41）は、演算部（33）を備え、その演算部（33）で調湿制御部（41）で受信した目標温度Ｔｓ及び目標湿度Ｒｓからその状態における絶対湿度を算出する。そして、調湿制御部（41）は、この算出した絶対湿度を目標絶対湿度に設定し、室内の絶対湿度が目標絶対湿度に近づくように調湿装置（10）の調湿能力を調節する（詳細は後述する）。
【００４０】
−運転動作−
<調湿装置の運転動作>
本実施形態の調湿装置（10）では、除湿運転と加湿運転とが行われる。除湿運転中や加湿運転中の調湿装置（10）は、取り込んだ室外空気（OA）を調湿してから供給空気（SA）として室内へ供給すると同時に、取り込んだ室内空気（RA）を排出空気（EA）として室外へ排出する。つまり、除湿運転中や加湿運転中の調湿装置（10）は、室内の換気を行っている。また、上記調湿装置（10）は、除湿運転中と加湿運転中の何れにおいても、第１動作と第２動作を所定の時間間隔（例えば３分間隔）で交互に繰り返す。
【００４１】
上記調湿装置（10）は、除湿運転中であれば第１空気として室外空気（OA）を、第２空気として室内空気（RA）をそれぞれ取り込む。また、上記調湿装置（10）は、加湿運転中であれば第１空気として室内空気（RA）を、第２空気として室外空気（OA）をそれぞれ取り込む。
【００４２】
先ず、第１動作について説明する。第１動作中には、第１吸着熱交換器（51）へ第２空気が、第２吸着熱交換器（52）へ第１空気がそれぞれ送り込まれる。この第１動作では、第１吸着熱交換器（51）についての再生動作と、第２吸着熱交換器（52）についての吸着動作とが行われる。
【００４３】
図２(Ａ)に示すように、第１動作中の冷媒回路（50）では、四方切換弁（54）が第１状態に設定される。圧縮機（53）を運転すると、冷媒回路（50）内で冷媒が循環する。具体的に、圧縮機（53）から吐出された冷媒は、第１吸着熱交換器（51）で放熱して凝縮する。第１吸着熱交換器（51）で凝縮した冷媒は、電動膨張弁（55）を通過する際に減圧され、その後に第２吸着熱交換器（52）で吸熱して蒸発する。第２吸着熱交換器（52）で蒸発した冷媒は、圧縮機（53）へ吸入されて圧縮され、再び圧縮機（53）から吐出される。
【００４４】
このように、第１動作中の冷媒回路（50）では、第１吸着熱交換器（51）が凝縮器となり、第２吸着熱交換器（52）が蒸発器となる。第１吸着熱交換器（51）では、フィン（57）表面の吸着剤が伝熱管（58）内の冷媒によって加熱され、加熱された吸着剤から脱離した水分が第２空気に付与される。一方、第２吸着熱交換器（52）では、フィン（57）表面の吸着剤に第１空気中の水分が吸着され、発生した吸着熱が伝熱管（58）内の冷媒に吸熱される。
【００４５】
そして、除湿運転中であれば、第２吸着熱交換器（52）で除湿された第１空気が室内へ供給され、第１吸着熱交換器（51）から脱離した水分が第２空気と共に室外へ排出される。一方、加湿運転中であれば、第１吸着熱交換器（51）で加湿された第２空気が室内へ供給され、第２吸着熱交換器（52）に水分を奪われた第１空気が室外へ排出される。
【００４６】
次に、第２動作について説明する。第２動作中には、第１吸着熱交換器（51）へ第１空気が、第２吸着熱交換器（52）へ第２空気がそれぞれ送り込まれる。この第２動作では、第２吸着熱交換器（52）についての再生動作と、第１吸着熱交換器（51）についての吸着動作とが行われる。
【００４７】
図２(Ｂ)に示すように、第２動作中の冷媒回路（50）では、四方切換弁（54）が第２状態に設定される。圧縮機（53）を運転すると、冷媒回路（50）内で冷媒が循環する。具体的に、圧縮機（53）から吐出された冷媒は、第２吸着熱交換器（52）で放熱して凝縮する。第２吸着熱交換器（52）で凝縮した冷媒は、電動膨張弁（55）を通過する際に減圧され、その後に第１吸着熱交換器（51）で吸熱して蒸発する。第１吸着熱交換器（51）で蒸発した冷媒は、圧縮機（53）へ吸入されて圧縮され、再び圧縮機（53）から吐出される。
【００４８】
このように、冷媒回路（50）では、第２吸着熱交換器（52）が凝縮器となり、第１吸着熱交換器（51）が蒸発器となる。第２吸着熱交換器（52）では、フィン（57）表面の吸着剤が伝熱管（58）内の冷媒によって加熱され、加熱された吸着剤から脱離した水分が第２空気に付与される。一方、第１吸着熱交換器（51）では、フィン（57）表面の吸着剤に第１空気中の水分が吸着され、発生した吸着熱が伝熱管（58）内の冷媒に吸熱される。
【００４９】
そして、除湿運転中であれば、第１吸着熱交換器（51）で除湿された第１空気が室内へ供給され、第２吸着熱交換器（52）から脱離した水分が第２空気と共に室外へ排出される。一方、加湿運転中であれば、第２吸着熱交換器（52）で加湿された第２空気が室内へ供給され、第１吸着熱交換器（51）に水分を奪われた第１空気が室外へ排出される。
【００５０】
<空調装置の運転動作>
本実施形態の空調装置（20）では、冷房運転と暖房運転とが行われる。
【００５１】
空調装置（20）の冷房運転では、図４(Ａ)に示すように、冷媒回路（60）の四方切換弁（64）が第１状態に設定される。圧縮機（63）を運転すると、冷媒回路（60）内で冷媒が循環する。具体的に、圧縮機（63）から吐出された冷媒は、室外熱交換器（61）で放熱して凝縮する。室外熱交換器（61）で凝縮した冷媒は、電動膨張弁（65）を通過する際に減圧され、その後に室内熱交換器（62）で吸熱して蒸発する。室内熱交換器（62）で蒸発した冷媒は、圧縮機（63）へ吸入されて圧縮され、再び圧縮機（63）から吐出される。
【００５２】
このように、冷媒回路（60）では、室外熱交換器（61）が凝縮器となり、室内熱交換器（62）が蒸発器となる。一方、室内から空調装置（20）に吸い込まれた空気は、蒸発器となる室内熱交換器（62）を通過する。この空気は、室内熱交換器（62）で冷却された後、室内に供給される。
【００５３】
一方、空調装置（20）の暖房運転では、図４(Ｂ)に示すように、冷媒回路（60）の四方切換弁（64）が第２状態に設定される。圧縮機（63）を運転すると、冷媒回路（60）内で冷媒が循環する。具体的に、圧縮機（63）から吐出された冷媒は、室内熱交換器（62）で放熱して凝縮する。室内熱交換器（62）で凝縮した冷媒は、電動膨張弁（65）を通過する際に減圧され、その後に室外熱交換器（61）で吸熱して蒸発する。室外熱交換器（61）で蒸発した冷媒は、圧縮機（63）へ吸入されて圧縮され、再び圧縮機（63）から吐出される。
【００５４】
このように、冷媒回路（60）では、室外熱交換器（61）が蒸発器となり、室内熱交換器（62）が凝縮器となる。一方、室内から空調装置（20）に吸い込まれた空気は、凝縮器となる室内熱交換器（62）を通過する。この空気は、室内熱交換器（62）で加熱された後、室内に供給される。
【００５５】
<空調システムの制御動作>
本実施形態の空調システム（1）では、調湿装置（10）の除湿運転又は加湿運転と、空調装置（20）の冷房運転又は暖房運転との組み合わせによって４通りの運転が行われる。具体的に、空調システム（1）では、調湿装置（10）で除湿運転を行うと同時に空調装置（20）で冷房運転を行う「冷房除湿運転」と、調湿装置（10）で除湿運転を行うと同時に空調装置（20）で暖房運転を行う「暖房除湿運転」と、調湿装置（10）で加湿運転を行うと同時に空調装置（20）で冷房運転を行う「冷房加湿運転」と、調湿装置（10）で加湿運転を行うと同時に空調装置（20）で暖房運転を行う「暖房加湿運転」とが切換可能となっている。
【００５６】
以下には、これらの運転のうち「冷房加湿運転」時の空調システム（1）の制御動作について説明する。冷房加湿運転は、例えば春や秋に見られるような高温で低湿の外気条件の時に行われる運転を想定している。空調システム（1）で冷房加湿運転が開始されると、調湿装置（10）の加湿運転及び空調装置（20）での冷房運転が同時に行われる。
【００５７】
調湿装置（10）では、コントローラ（30）に入力された目標温度Ｔｓ（２５℃）及び目標湿度Ｒｓ（例えば相対湿度６０％）を調湿制御部（41）が受信する。また、調湿装置（10）の室外温度センサ及び室内温度センサで検出された検出温度と、室外湿度センサ及び室内湿度センサで検出された検出湿度とを、調湿制御部（41）が受信する。
【００５８】
調湿制御部（41）は、目標温度Ｔｓと目標湿度Ｒｓとから、演算部（33）で目標温度Ｔｓで目標湿度Ｒｓとなる絶対湿度を目標絶対湿度として算出する。また、演算部（33）は、室外の検出温度及び検出湿度から室外空気（OA）の絶対湿度を算出する。さらに、演算部（33）は、室内の検出温度及び検出湿度から室内空気（RA）の絶対湿度を算出する。
【００５９】
調湿制御部（41）は、室外空気（OA）及び室内空気（RA）の絶対湿度と、上記目標絶対湿度とに基づいて、室内の絶対湿度が目標絶対湿度に近づくように調湿装置（10）の加湿能力を制御する。この調湿装置（10）の加湿能力の制御は、例えば圧縮機（63）の運転周波数を変更して冷媒循環量を変化させることによって行われる。
【００６０】
一方、空調装置（20）では、コントローラ（30）に入力された目標温度Ｔｓ及び目標湿度Ｒｓを空調制御部（42）が受信する。空調制御部（42）は、目標温度Ｔｓ及び目標湿度Ｒｓを受信すると、演算部（34）でその目標温度Ｔｓ及び目標湿度Ｒｓに基づいて露点温度を計算し、計算した露点温度を基準温度に設定する。また、空調制御部（42）は、室内温度として室内ユニット（21）の室内温度センサ（68）の計測値を受信する。
【００６１】
なお、空調制御部（42）と調湿制御部（41）とを直接通信可能にして、空調装置（20）に室内温度センサ（68）を設けずに、調湿装置（10）の室内温度センサの計測値を調湿制御部（41）から空調制御部（42）へ送信するようにしてもよい。また、逆に調湿装置（10）に室内温度センサを設けずに、空調装置（20）の室内温度センサ（68）の計測値を空調制御部（42）から調湿制御部（41）へ送信するようにしてもよい。
【００６２】
続いて、空調制御部（42）は、冷媒回路（60）における冷媒蒸発温度が演算部（34）で計算した基準温度以上になるように圧縮機（63）の運転周波数を決定する。空調制御部（42）は、その決定した運転周波数で圧縮機（63）を駆動させ、空調装置（20）の運転を開始させる。
【００６３】
空調装置（20）の運転が開始すると、空調制御部（42）は、室内温度センサ（68）の計測値と熱交温度センサ（69）の計測値とを観察し、室内温度センサ（68）の計測値が目標温度Ｔｓに近づくように、必要に応じて圧縮機（63）の運転周波数や室内ファン（25）の回転数の制御を行う。
【００６４】
具体的に、目標温度Ｔｓ及び目標湿度Ｒｓから計算された露点温度が比較的高い場合に、冷媒回路（60）における冷媒蒸発温度が高くなるので、室内の空気の冷却を十分に行うことができずに室内温度センサ（68）の計測値が目標温度Ｔｓに近づかない場合がある。この場合、空調制御部（42）は、第１条件と第２条件とが成立すると、室内ファン（25）の回転数を増加させ、蒸発器となっている室内熱交換器（50）の通過風量を増加させる。なお、室内ファン（25）の回転数は、第１条件と第２条件とが成立する前は初期回転数ｆａに調節されている。
【００６５】
具体的に、第１条件は、室内温度センサ（68）の計測値が目標温度Ｔｓを上回る状態で次第に上昇してゆくという条件である。第２条件は、熱交温度センサ（69）の計測値と上記基準温度との差の絶対値が判定値（例えば０．５）を下回るという条件である。なお、第２条件が成立しない場合、すなわち熱交温度センサ（69）の計測値が基準温度よりも判定値以上に大きい場合は、空調制御部（42）は、圧縮機（63）の運転周波数を変更して、冷媒回路（60）における冷媒蒸発温度を低下させる。
【００６６】
空調制御部（42）は、第１条件と第２条件とが成立すると、室内ファン（25）の回転数を補正回転数ｆｂに変更する。なお、空調制御部（42）は、室内ファン（25）の回転数を変更しても第１条件と第２条件とが成立している状態が継続すると、室内ファン（25）の回転数を再度変更する。室内ファン（25）の回転数の再変更は、所定の間隔（例えば１分）で行われる。
【００６７】
補正回転数ｆｂは、演算部（34）で下式により計算される。
【００６８】
ｆｂ＝ｆｂ’＋１０×〔[(Ｔａ−Ｔｓ)−(Ｔｂ−Ｔｓ)]×Ｋ＋(Ｔａ−Ｔｓ)〕
【００６９】
上記式において、ｆｂ’は変更前の室内ファン（25）の回転数（最初の変更の際は初期回転数ｆａが入力される）、Ｔａは室内ファン（25）の回転数を変更する際の室内温度センサ（68）の計測値、Ｔｂは回転数変更の所定時間前（例えば１分前）の室内温度センサ（68）の計測値、Ｋは補正係数（例えばＫ＝1）をそれぞれ表している。演算部（34）は、補正回転数ｆｂが初期回転数ｆａ以上になるように制限している。なお、上記式は単なる例示であり、他の関係式を用いてもよい。
【００７０】
空調制御部（42）は、室内温度センサ（68）の計測値が目標温度Ｔｓに近づき始めると、室内ファン（25）の回転数を最終的に変更した回転数に固定する。そして、室内温度センサ（68）の計測値が目標温度Ｔｓに収束すると、室内ファン（25）を初期回転数faに変更する。
【００７１】
以上のようにして、調湿装置（10）では、目標湿度Ｒｓを充足させるように加湿運転が行われる。空調装置（20）では、冷媒回路（60）における冷媒蒸発温度が露点温度以上に制御された状態で、目標温度Ｔｓを充足させるように冷房運転が行われる。これにより、冷房加湿運転を行っても、調湿装置（10）で加湿された空気が空調装置（20）で除湿されることなく、最終的に室内の温度が目標温度Ｔｓに調節されると共に、室内の相対湿度が目標湿度Ｒｓに調節される。
【００７２】
−実施形態の効果−
上記実施形態によれば、目標湿度Ｒｓの値を調湿装置（10）の制御だけでなく空調装置（20）の制御にも利用し、目標湿度Ｒｓ及び目標温度Ｔｓに基づいて計算した露点温度を下限として空調装置（20）の冷媒蒸発温度を制御している。このため、調湿装置（10）から供給された水分によって加湿された室内空気を空調装置（20）で冷却する際にも、この室内空気中の水分が凝縮してドレン水として排出されるのを回避できる。従って、この実施形態によれば、従来のように調湿装置（10）が供給した水分を空調装置（20）がドレン水として排出してしまう無駄な運転状態に陥るのを回避でき、冷房加湿を行う際に空調システム（1）を効率的に運転することができる。
【００７３】
さらに、本実施形態によれば、空調装置（20）によって室内空間の冷房が十分に行われていない場合で、冷媒蒸発温度を低下させるとその冷媒蒸発温度が露点温度を下回る可能性がある場合に、空調制御部（41）が室内ファン（25）の回転数を増加させ室内熱交換器（62）の通過風量を増加させることで、空調装置（20）の冷房能力を引き上げるようにしている。空調制御部（41）は、上記蒸発温度制御を行っており冷媒蒸発温度を露点温度以上に制御している。これにより、調湿装置（10）によって加湿された空気中の水分が凝縮してドレン水として排出されるのを回避でき、加湿量を減らすことなく室内空間の温度を目標温度Ｔｓに近づけることができるので、空調システム（1）の運転効率を低下させることなく、室内空間の快適性を向上させることができる。
【００７４】
−実施形態の変形例１−
実施形態の変形例１について説明する。上記実施形態では、第１条件と第２条件とが成立すると空調制御部（42）が室内ファン（25）の回転数を増加させるように構成されていたが、この変形例１では、空調制御部（42）が調湿装置（10）の目標湿度Ｒｓを引き下げるように構成されている。また、この変形例１では、空調制御部（42）と調湿制御部（41）とが直接通信可能に構成されている。
【００７５】
具体的に、「冷房加湿運転」において空調装置（20）の運転が開始すると、空調制御部（42）が室内温度センサ（68）の計測値と熱交温度センサ（69）の計測値とを観察する。そして、第１条件と第２条件とが成立すると、入力された目標湿度Ｒｓの値を引き下げて変更目標湿度Ｒｓ’とするように、空調制御部（42）が調湿制御部（41）に指令を出す。なお、変更目標湿度Ｒｓ’は、空調制御部（42）の演算部（34）で下式により計算される。
【００７６】
Ｒｓ’＝Ｒｓ＋〔[(Ｔａ−Ｔｓ)−(Ｔｂ−Ｔｓ)]×Ｋ＋(Ｔａ−Ｔｓ)〕
【００７７】
上記式において、Ｒｓはコントローラ（30）に入力された目標湿度、Ｔａは目標湿度を変更する際の室内温度センサ（68）の計測値、Ｔｂは目標湿度変更の所定時間前（例えば１分前）の室内温度センサ（68）の計測値、Ｋは補正係数（例えばＫ＝1）をそれぞれ表している。演算部（34）は、変更目標湿度Ｒｓ’が目標湿度Ｒｓ以下になるように制限している。なお、上記式は単なる例示であり、他の関係式を用いてもよい。
【００７８】
調湿装置（10）の調湿制御部（41）は、目標湿度の引き下げ指令を受信すると、演算部（33）で目標温度Ｔｓで変更目標湿度Ｒｓ’となる絶対湿度を算出し、その値を目標絶対湿度として更新する。そして、調湿制御部（41）は、室外空気（OA）及び室内空気（RA）の絶対湿度と、更新した目標絶対湿度とに基づいて、室内の絶対湿度が更新した目標絶対湿度に近づくように調湿装置（10）の加湿能力を制御する。
【００７９】
一方、空調制御部（42）は、演算部（34）で目標温度Ｔｓ及び変更目標湿度Ｒｓ’に基づいて露点温度を計算し、基準温度を計算した露点温度に更新する。空調制御部（42）は、冷媒回路（60）における冷媒蒸発温度が更新した基準温度以上になるように圧縮機（63）の運転周波数を変更する。
【００８０】
なお、空調制御部（42）は、目標湿度を引き下げても第１条件と第２条件とが成立している状態が継続すると、目標湿度を再度変更する。目標湿度の再変更は、所定の間隔（例えば１分）で行われる。
【００８１】
この変形例１では、空調装置（20）によって室内空間の冷房が十分に行われていない場合で、冷媒蒸発温度を低下させるとその冷媒蒸発温度が露点温度を下回る可能性がある場合に、露点温度の値が小さくなるように、空調制御部（41）と調湿制御部（42）とによって目標湿度Ｒｓの値が強制的に引き下げられるようにしている。これにより、上記蒸発温度制御において冷媒蒸発温度を引き下げることができるので、調湿装置（10）によって加湿された空気中の水分が凝縮してドレン水として排出されるのを回避しながら、空調装置（20）の冷房能力を引き上げることができる。この変形例１では、目標湿度Ｒｓよりも目標温度Ｔｓを優先させたい場合に、空調システム（1）の運転効率を低下させることなく、室内空間の快適性を向上させることができる。
【００８２】
−実施形態の変形例２−
実施形態の変形例２についてを説明する。上記実施形態では、露点温度を計算するのに用いる湿度として、コントローラ（30）に入力された目標湿度Ｒｓを用いているが、この変形例２では調湿制御部（41）の演算部（33）で計算された調湿装置（10）の給気湿度を用いている。また、この変形例２では、空調制御部（42）と調湿制御部（41）とが直接通信可能に構成されている。
【００８３】
具体的に、この変形例２では、調湿制御部（41）の演算部（33）が本発明に係る給気湿度検出手段を構成している。演算部（33）には、室外空気（OA）の湿度と室内空気（RA）の湿度と圧縮機（53）の運転周波数とに基づいて給気湿度を予測するためのデータベースが予め組み込まれている。演算部（33）は、室外湿度センサから受信した室外空気（OA）の湿度と、室内湿度センサから受信した室内空気（RA）の湿度と、自ら制御している圧縮機（53）の運転周波数とから上記データベースを利用して調湿装置（10）の給気湿度を検出する。そして、調湿制御部（41）は、演算部（33）で検出した調湿装置（10）の給気湿度を空調制御部（42）へ送信する。
【００８４】
空調制御部（42）は、調湿装置（10）の給気湿度を受信すると、演算部（34）で目標温度Ｔｓ及び調湿装置（10）の給気湿度に基づいて露点温度を計算し、基準温度を計算した露点温度に設定する。空調制御部（42）は、冷媒回路（60）における冷媒蒸発温度が基準温度以上になるように圧縮機（63）の運転周波数を設定する。なお、演算部（33）は所定の間隔で調湿装置（10）の給気湿度を検出し、その都度、調湿制御部（41）は空調制御部（42）へ検出した調湿装置（10）の給気湿度を送信する。空調制御部（42）は、調湿装置（10）の給気湿度を受信する度に露点温度を計算し、圧縮機（63）の運転周波数を設定する。
【００８５】
この変形例２では、調湿装置（10）から吹き出された直後の湿度の高い空気が空調装置（20）に吸い込まれる場合であっても、その空気中の水分が空調装置（20）で冷却される際に凝縮されることがないように、調湿制御部（41）の演算部（33）で検出された調湿装置（10）の給気湿度及び目標温度Ｔｓに基づいて計算した露点温度を下限として空調制御部（42）が空調装置（20）の冷媒蒸発温度を制御している。これにより、調湿装置（10）と空調装置（20）との間で空気がショートサーキットしてしまう場合であっても、調湿装置（10）によって加湿された空気中の水分が凝縮してドレン水として排出されるのを回避できるので、冷房加湿を行う際に空調システム（1）を効率的に運転することができる。
【００８６】
<その他の実施形態>
上記実施形態では、目標温度Ｔｓや目標湿度Ｒｓをコントローラ（30）に入力しているが、例えば調湿装置（10）の調湿制御部（41）や、空調装置（20）の空調制御部（42）に入力するようにしてもよい。この場合、空調制御部（42）と調湿制御部（41）とを直接通信可能にすることで、調湿制御部（41）と空調制御部（42）との間で目標温度Ｔｓや目標湿度Ｒｓが共有され、上記実施形態と同様に温調・調湿運転を行うことができる。
【００８７】
また、設定湿度Ｒｓは、必ずしも操作者の入力によって入力される必要はなく、入力された設定温度Ｔｓから適切な湿度を調湿制御部（42）が自動的に決定するようにしてもよい。この場合、調湿制御部（42）に人間が快適と感じる湿度を温度条件ごとに記憶させておく。例えば、目標温度Ｔｓが２２度以下では目標湿度Ｒｓを５５％、目標温度Ｔｓが２２度より大きく２６度未満では目標湿度Ｒｓを５０％、目標温度Ｔｓが２６度以上では目標湿度Ｒｓを４５％と調湿制御部（42）に予め記憶させておく。
【００８８】
また、上記実施形態では、調湿装置（10）が次のように構成されていてもよい。ここでは、調湿装置（10）の変形例について説明する。
【００８９】
−第１変形例−
図６に示すように、第１変形例の調湿装置（10）は、冷媒回路（100）と２つの吸着素子（111,112）とを備えている。冷媒回路（100）は、圧縮機（101）と凝縮器（102）と膨張弁（103）と蒸発器（104）が順に接続された閉回路である。冷媒回路（100）で冷媒を循環させると、蒸気圧縮冷凍サイクルが行われる。この冷媒回路（100）は、熱源手段を構成している。第１吸着素子（111）及び第２吸着素子（112）は、ゼオライト等の吸着剤を備えており、それぞれ吸着部材を構成している。また、各吸着素子（111,112）には多数の空気通路が形成されており、この空気通路を通過する際に空気が吸着剤と接触する。
【００９０】
この調湿装置（10）は、第１動作と第２動作を繰り返す。図６(Ａ)に示すように、第１動作中の調湿装置（10）は、凝縮器（102）で加熱された空気を第１吸着素子（111）へ供給して吸着剤を再生する一方、第２吸着素子（112）に水分を奪われた空気を蒸発器（104）で冷却する。また、図６(Ｂ)に示すように、第２動作中の調湿装置（10）は、凝縮器（102）で加熱された空気を第２吸着素子（112）へ供給して吸着剤を再生する一方、第１吸着素子（111）に水分を奪われた空気を蒸発器（104）で冷却する。そして、この調湿装置（10）は、吸着素子（111,112）を通過する際に除湿された空気を室内へ供給する除湿運転と、吸着素子（111,112）を通過する際に加湿された空気を室内へ供給する加湿運転とを切り換えて行う。
【００９１】
−第２変形例−
図７に示すように、第２変形例の調湿装置（10）は、調湿ユニット（150）を備えている。この調湿ユニット（150）は、ペルチェ素子（153）と一対の吸着フィン（151,152）とを備えている。吸着フィン（151,152）は、いわゆるヒートシンクの表面にゼオライト等の吸着剤を担持させたものである。この吸着フィン（151,152）は、吸着部材を構成している。ペルチェ素子（153）は、その一方の面に第１吸着フィン（151）が、他方の面に第２吸着フィン（152）がそれぞれ接合されている。ペルチェ素子（153）に直流を流すと、２つの吸着フィン（151,152）の一方が吸熱側になって他方が放熱側になる。このペルチェ素子（153）は、熱源手段を構成している。
【００９２】
この調湿装置（10）は、第１動作と第２動作を繰り返す。第１動作中の調湿ユニット（150）は、放熱側となった第１吸着フィン（151）の吸着剤を再生して空気を加湿する一方、吸熱側となった第２吸着フィン（152）の吸着剤に水分を吸着させて空気を除湿する。また、第１動作中の調湿ユニット（150）は、放熱側となった第２吸着フィン（152）の吸着剤を再生して空気を加湿する一方、吸熱側となった第１吸着フィン（151）の吸着剤に水分を吸着させて空気を除湿する。そして、この調湿装置（10）は、調湿ユニット（150）を通過する際に除湿された空気を室内へ供給する除湿運転と、調湿ユニット（150）を通過する際に加湿された空気を室内へ供給する加湿運転とを切り換えて行う。
【００９３】
なお、以上の実施形態は、本質的に好ましい例示であって、本発明、その適用物、あるいはその用途の範囲を制限することを意図するものではない。
【産業上の利用可能性】
【００９４】
以上説明したように、本発明は、同一の室内空間を対象とする調湿装置及び空調装置を備える空調システムについて有用である。
【図面の簡単な説明】
【００９５】
【図１】実施形態の空調システムの概略の構成図である。
【図２】実施形態の調湿装置の冷媒回路の構成を示す配管系統図であって、(Ａ)は第１動作中の動作を示すものであり、(Ｂ)は第２動作中の動作を示すものである。
【図３】吸着熱交換器の概略斜視図である。
【図４】実施形態の空調装置の冷媒回路の構成を示す配管系統図であって、(Ａ)は第１の状態を示すものであり、(Ｂ)は第２の状態を示すものである。
【図５】その他の実施形態の第１変形例における調湿装置の概略構成図であって、(Ａ)は第１動作中の動作を示すものであり、(Ｂ)は第２動作中の動作を示すものである。
【図６】その他の実施形態の第２変形例における調湿ユニットの概略斜視図である。
【符号の説明】
【００９６】
1   空調システム
10  調湿装置
20  空調装置
33  演算部（給気湿度検出手段）
41  空調制御部（制御手段）
42  調湿制御部（制御手段）
50  冷媒回路
51  第１吸着熱交換器（吸着熱交換器）
52  第２吸着熱交換器（吸着熱交換器）
60  冷媒回路
68  室内温度センサ（室内温度計測手段）
69  熱交温度センサ（蒸発温度計測手段）
【図１】
2006329471.tif 000003
【図２】
2006329471.tif 000004
【図３】
2006329471.tif 000005
【図４】
2006329471.tif 000006
【図５】
2006329471.tif 000007
【図６】
2006329471.tif 000008